(57)【要約】【課題】  本発明の課題は、原稿の穴位置への印字を禁止して、文字抜けや装置汚れを防止できる画像読取装置を得ることである。【解決手段】  本発明の画像読取装置１は、原稿給紙部３から給紙された原稿２を読み取る原稿読取部７と、原稿２の所定位置に印字を行なう印字部３１と、原稿２に開けられている穴４の位置を検知する穴検知部２７と、原稿２に印字を行なう位置に穴４を検知した場合に原稿２への印字を停止させる印字制御部５０とを備えた。【選択図】      図１
2007074199.tif 000002
【特許請求の範囲】
【請求項１】
原稿給紙部から給紙された原稿を読み取る原稿読取部と、原稿の所定位置に印字を行なう印字部と、原稿に開けられている穴の位置を検知する穴検知部と、原稿の印字を行なう位置に穴がある場合に原稿への印字を停止させる印字制御部とを備えていることを特徴とする画像読取装置。
【請求項２】
穴検知部及び印字部は原稿の搬送方向と直交する方向に移動自在であり、原稿に印字を行なう際には印字部が所定の印字位置まで移動すると共に印字部に連動して穴検知部が移動し、穴検知部の位置と印字部の位置とが原稿の搬送方向に沿って同一直線上に位置することを特徴とする請求項１に記載の画像読取装置。
【請求項３】
原稿給紙部から給紙された原稿を読み取る原稿読取部と、原稿の所定位置に印字を行なう印字部と、原稿に印字を行なう位置に穴を検知した場合に原稿への印字を停止させる印字制御部とを備え、印字制御部は原稿読取部で読み取った原稿の画像データから穴を検知していることを特徴とする画像読取装置。
【請求項４】
原稿読取部は原稿を読み取る際の背景となる背景板を備え、背景板の読取り画像データと原稿の読み取り画像データとを比較して穴を検知していることを特徴とする請求項３に記載の画像読取装置。
【発明の詳細な説明】
【技術分野】
【０００１】
本発明は、複写機、ファクシミリ装置、スキャナ装置等の画像読取装置に関する。
【背景技術】
【０００２】
特許文献１に記載の従来技術には、複写機、ファクシミリ装置、スキャナ装置等の画像読取装置において、原稿束から原稿を１枚ずつ分離してコンタクトガラス上の読取位置まで搬送して、原稿の読取りを行った後、読取りの終了後に原稿の任意の位置に読取りが終了した旨の印字を行う技術が開示されている。
【０００３】
【特許文献１】特開２０００−６９２４２号公報
【発明の開示】
【発明が解決しようとする課題】
【０００４】
しかし、特許文献１に記載の従来技術では、原稿に穴が存在していた場合、穴の位置にそのまま印字を施してしまう場合があり、この場合文字抜けや装置自体にインクが付着して装置汚れが生じるおそれがあった。
【０００５】
本発明は、原稿の穴位置への印字を禁止して、文字抜けや装置汚れを防止できる画像読取装置を得ることを目的とする。
【課題を解決するための手段】
【０００６】
前記課題を解決するために、請求項１に記載された発明は、原稿給紙部から給紙された原稿を読取る原稿読取部と、原稿の所定位置に印字を行う印字部と、原稿に開けられている穴の位置を検知する穴検知部と、原稿の印字を行う位置に穴がある場合に原稿への印字を停止させる印字制御部とを備えていることを特徴とする。
【０００７】
請求項２に記載された発明は、請求項１に記載の発明において、穴検知部及び印字部は原稿の搬送方向と直交する方向に移動自在であり、原稿に印字を行う際には印字部が所定の印字位置まで移動すると共に印字部に連動して穴検知部が移動し、穴検知部の位置と印字部の位置とが原稿の搬送方向に沿って同一直線上に位置することを特徴とする。
【０００８】
請求項３に記載された発明は、原稿給紙部から給紙された原稿を読取る原稿読取部と、原稿の所定位置に印字を行う印字部と、原稿に印字を行う位置に穴を検知した場合に原稿への印字を停止させる印字制御部とを備え、印字制御部は原稿読取部で読取った画像データのパターンから穴を検知していることを特徴とする。
【０００９】
請求項４に記載された発明は、請求項３に記載の発明において、原稿読取部は原稿を読取る際の背景となる背景板を備え、背景板の読取り画像データと原稿の読取り画像データとを比較して穴を検知していることを特徴とする。
【発明の効果】
【００１０】
本発明によれば、原稿の印字を行う位置に穴がある場合、印字制御部によって穴の位置への印字を禁止するので、穴の位置に印字を行うことがなく、文字抜けや装置へのインク付着の発生を防ぐことができる。
【発明を実施するための最良の形態】
【００１１】
以下に、添付図面を参照して、本発明の実施の形態を詳細に説明する。尚、図１は本発明の第１実施の形態に係る画像読取装置を示す図であり、パンチ穴検知部と印字部と原稿との位置関係を示す概略図、図２は本発明の画像読取装置の制御ブロック図、図３は本発明の画像読取装置の全体を概略的に示す断面図である。
【００１２】
第１実施の形態に係る画像読取装置１は、原稿２を給紙する原稿給紙部３と、原稿給紙部３に載置された原稿２を原稿読取部７に向けて搬送する原稿搬送部５と、原稿搬送部５から搬送されてきた原稿２を読取る原稿読取部７と、原稿読取部７で読取った原稿２を機外に排紙する原稿排紙部９とを備えている。
【００１３】
原稿給紙部３は原稿載置台１１、呼出コロ１３、給紙コロ１５、及び分離コロ１７を備え、原稿載置台１１上に載置された原稿は呼出コロ１３でピックアップされた後、分離コロ１７で分離され最上位の原稿から１枚づつ給送される。
【００１４】
原稿搬送部５は、搬送ローラ１９と、レジストセンサ２１とを備えており、原稿載置台１１から搬送されてくる原稿２を原稿読取部７に向けて搬送している。
【００１５】
原稿読取部７は、コンタクトガラス２１と、コンタクトガラス２１の下方に設けられた画像読取手段２３を備えている。画像読取手段２３は、照明ランプ、ミラー、レンズ、ＣＣＤ等が配置されており、照明ランプからコンタクトガラス２１を通して原稿面を照射し、原稿２からの反射光をミラーで集光してＣＣＤに照射し、ＣＣＤによって照射光を光電変換する。ＣＣＤにより赤（Ｒ）、緑（Ｇ）、及び青（Ｂ）の各色に分離された画像信号は、画像処理回路によりＡ／Ｄ変換等された後に画像処理部により各種の画像処理が施される。コンタクトガラス２１の対向面には原稿２を読取る際の背景となる背景板２５が設けられている。
【００１６】
原稿排紙部９は、排紙ローラ２９及び排紙トレイ３３を備えている。そして、排紙ローラ２９の原稿搬送方向の下流側位置には原稿２の所定位置に印字を行う印字部３１を設けており、印字部３１の原稿搬送方向の上流側位置には原稿２のパンチ穴（穴）を検知するパンチ穴検知センサ（穴検知部）２７が設けられている。尚、パンチ穴４とは冊子等にパンチ穴を通して原稿を綴じるための穴である。このパンチ穴検知センサ２７は搬送中の原稿２のセンサ入力レベル（光強度等）を監視することでパンチ穴４の有無を検出する。また、パンチ穴検知センサ２７は、原稿２が排紙トレイ３３に排紙されたか否かを検知する排紙センサも兼ねている。
【００１７】
印字部３１はインクを噴霧して所定位置にアルファベット文字や数字の印字を行うヘッド部３４と、このヘッド部３４を原稿２の主走査方向に案内する案内部材３５とを備えている。パンチ穴検知センサ２７は原稿の搬送方向と直交する方向に移動自在であり、装置に固定されたガイド部材２６に沿って移動する。パンチ穴検知センサ２７は印字部３１のヘッド部３４に連動して動くようになっている。
【００１８】
印字制御部５０は、画像読取部７、メモリ制御部５１、メモリ５３及び各種Ｉ／Ｆ５５を備えている。画像読取部７は、ＣＣＤ５７、Ａ／Ｄ変換部５９及び画像処理部６１を備えている。
【００１９】
次に、本実施の形態に係る画像読取装置の作用及び効果について説明する。原稿載置台１１上に載置された原稿２は分離コロ１７で分離されて１枚づつ給送され、搬送ローラ１９によって原稿読取部７に搬送される。原稿読取部７のコンタクトガラス２１の位置まで送られた原稿は画像読取手段２３で画像データが読取られ、読取りの終了した原稿２は排紙ローラ２９を通過して排紙トレイ３３に排紙される。
【００２０】
原稿２に印字を行う場合には、印字ヘッド部３４が原稿の搬送方向と直交する方向に移動して、印字を行う所定の位置で停止する。印字ヘッド部３４が移動すると、印字ヘッド部３４に連動してパンチ穴検知センサ２７が原稿の搬送方向と直交する方向に移動して、パンチ穴検知センサ２７の位置と印字部３１のヘッド部３４の位置とが原稿の搬送方向に沿って同一直線上に位置する。
【００２１】
次いで、パンチ穴検知センサ２７が原稿２の印字を行う位置にパンチ穴４があるか否かを判断する。パンチ穴検知センサ２７が印字を行う位置にパンチ穴４があることを検知すると、パンチ穴４が存在する旨の検知信号が印字制御部５０に送信される。そして、印字制御部５０から印字部３１に対してパンチ穴４の位置において印字を禁止する制御信号を送信する。尚、印字を禁止した場合、パンチ穴領域に印字するはずだった文字等の処理は文字データを削除したり、パンチ穴領域以外の位置に印字したり等する。
【００２２】
本実施の形態では、原稿２の印字を行う位置にパンチ穴４がある場合には、パンチ穴４の位置への印字を禁止するので、パンチ穴４の位置に印字を行うことがなく、文字抜けや装置へのインク付着の発生を防ぐことができる。
【００２３】
パンチ穴検知センサ２７は印字部３１のヘッド部３４に連動して動くので、パンチ穴検知センサ２７の主走査方向の位置と印字部３１におけるヘッド部３４の主走査方向の位置が同一直線上になり、確実にパンチ穴領域への印字を回避することができる。
【００２４】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００２５】
第２実施の形態では、図４に示すように、主走査方向に沿ってパンチ穴４を２つ設けた原稿２に対してパンチ穴検知を行っている。この場合、パンチ穴検知センサ２７は主走査方向に移動して原稿２にパンチ穴４があるか否かを検知する。図４に示すように、パンチ穴検知センサ２７がそれぞれの位置のパンチ穴４を検知すると、パンチ穴４が存在する旨の検知信号が印字制御部５０に送信される。そして、印字制御部５０から印字部３１に対してパンチ穴４の位置において印字を行わない旨の制御信号を送信する。
【００２６】
本実施の形態では、パンチ穴検知センサ２７が主走査方向に移動してパンチ穴４を検知するので、パンチ穴４が主走査方向の異なる位置に複数ある場合でも、確実にパンチ穴領域への印字を回避することができる。
【００２７】
次に第３実施の形態について説明する。第３実施の形態では、パンチ穴検知センサ２７の代わりとして、原稿読取部で読取った画像データに基づいてパンチ穴４の位置や個数を検知している。
【００２８】
第３実施の形態では、画像読取部７においてＣＣＤ５７などの光電変換素子からの画像データはＡ／Ｄ変換部５９においてＡ／Ｄ変換されたのち、画像処理部６１で画像処理が行われ、メモリ制御部５１を経てメモリ５３に格納される。原稿に印字する場合、読取り開始前に印字の位置は確定され、かつ、印字する文字数も設定されるため、システム制御を行うＣＰＵ（印字制御部５０）は印字領域（主走査及び副走査方向）を認識できる。よって、パンチ穴４の大きさが固定の場合においては画像読取開始後、画像処理部６１もしくはメモリ制御部５１において印字領域（副走査方向）上の画像データにパンチ穴４と同サイズのデータの有無検出を行い、画像読取装置１のシステム制御を行うＣＰＵ５０に通知する。そして印字領域にパンチ穴４がある場合、ＣＰＵ５０は印字部３１に対してパンチ穴領域への印字は行わない旨の制御信号を送信する。
【００２９】
本実施の形態では、原稿読取手段２３で読取った画像のパターンデータでパンチ穴検出を行うため、パンチ穴検知センサ２７が不要となりコスト削減となる。
【００３０】
次に第４実施の形態について説明する。第４実施の形態では背景板２５の読取り画像データと原稿の読取り画像データとを比較してパンチ穴４を検知している。まず画像読取装置１の電源をＯＮすると、背景板２５の画像データの取得を行う。尚電源ＯＮ毎に背景板２５の画像データを取得するではなく画像読取装置内のメモリ５３に予め背景板２５の画像データを格納しておいても良い。原稿に対する印字領域は原稿の読取開始間に定められるため、パンチ穴４のある原稿２に印字を行う場合には、画像読取開始後、画像処理部６１もしくはメモリ制御部５１において印字領域（副走査方向）上の画像データと取得した背景板２５の画像データの比較を行う。そして画像データに背景板２５と同一のデータ（濃度等）が一定以上存在する場合にはその領域はパンチ穴であると認識され、システム制御を行うＣＰＵに検知結果を通知すると共に、ＣＰＵは印字部３１に対してパンチ穴位置への印字を行わないように制御信号を送信する。尚、上述の第１及び第２実施の形態と同様に本来はパンチ穴領域に印字するはずだった文字の処理（削除、パンチ穴領域以降に再開等）については任意である。また、画像データと取得した背景板データの比較を行う方法としては、図３に示すメモリ６３に格納後の画像データをＣＰＵが読み出して比較することでも可能である。
【００３１】
本実施の形態では、画像読取時のパンチ穴の後方にあたる背景板のデータと画像データを比較することでパンチ穴４の検出を行うため、パンチ穴４のサイズに関係なく検出することができる。
【００３２】
尚、本発明は上述した実施の形態に限定されず、その要旨を逸脱しない範囲で種々の変形が可能である。上述の第１及び第２実施の形態においては、パンチ穴検知センサ２７を排紙センサと兼用したが、これに限定されず、レジストセンサ２１をパンチ穴検知センサと兼用しても良い。また、排紙センサやレジストセンサと兼用するのでなく、新たにパンチ穴検知センサを設けても良い。
【００３３】
上述の第１及び第２実施の形態においては、パンチ穴４は２つ設けたが、これに限定されず１つ又は３つ以上であっても良い。
【００３４】
上述の第１及び第２実施の形態においては、パンチ穴４は原稿の縁に設けたが、これに限定されず、原稿の隅位置に設けてあっても良い。
【図面の簡単な説明】
【００３５】
【図１】本発明の第１実施の形態に係る画像読取装置を示す図であり、パンチ穴検知部と印字部と原稿との位置関係を示す概略図である。
【図２】本発明の画像読取装置の制御ブロック図である。
【図３】本発明の画像読取装置の全体を概略的に示す断面図である。
【図４】本発明の第２実施の形態に係る画像読取装置を示す図であり、パンチ穴検知部と印字部と原稿との位置関係を示す概略図である。
【符号の説明】
【００３６】
１          原稿読取装置
２          原稿
３          原稿給紙部
４          パンチ穴（穴）
７          原稿読取部
２５        背景板
２７        パンチ穴検知センサ（パンチ穴検知部）
３１        印字部
５０        印字制御部
【図１】
2007074199.tif 000003
【図２】
2007074199.tif 000004
【図３】
2007074199.tif 000005
【図４】
2007074199.tif 000006